(57)【要約】      （修正有）【課題】    手間がかからず簡単かつ容易そして確実に保護シートを膏薬表面から剥離することができる湿布及びその製造方法を提供する。【解決手段】膏薬３１と、該膏薬の表面を覆うための膜状の保護シート４１と、を備えてなる湿布であって、該保護シートが、該膏薬の表面に密接する第１密接部分を有する第１シート５１と、該膏薬の表面に密接する第２密接部分６３を有する第２シート６１と、を有してなり、第１シートが第２密接部分に重合する第１重合部分５５ａ、５５ｂ，５５ｃを有し、かつ第２シートが第１密接部分に重合する第２重合部分６５ａ，６５ｂ，６５ｃを有する湿布である。第１シートと第２シートとの位置を調整する位置調整工程、該位置調整工程において位置調整された第１シートと第２シートとを第１密接部分と第２密接部分とが膏薬の表面に密接するよう配置する配置工程を含んでなる湿布の製造方法である。【選択図】  図１
2006326004.tif 000002
【特許請求の範囲】
【請求項１】
膏薬と、該膏薬の表面を覆うための膜状の保護シートと、を備えてなる湿布であって、
該保護シートが、該膏薬の表面に密接する第１密接部分を有する第１シートと、該膏薬の表面に密接する第２密接部分を有する第２シートと、を有してなり、
第１シートが第２密接部分に重合する第１重合部分を有し、かつ第２シートが第１密接部分に重合する第２重合部分を有するものである、湿布。
【請求項２】
膏薬の表面に沿った線の一方側に第１重合部分が形成され、該線の他方側に第２重合部分が形成されるものである、請求項１に記載の湿布。
【請求項３】
前記線に沿って第１重合部分と第２重合部分とが交互に形成されているものである、請求項２に記載の湿布。
【請求項４】
第１重合部分を把持し第１シートを剥離する第１剥離方向への第１の力と、第２重合部分を把持し第２シートを剥離する第２剥離方向への第２の力と、が互いにうち消しあう成分を有するものである、請求項１乃至３のいずれか１に記載の湿布。
【請求項５】
第１剥離方向と第２剥離方向とが略反対方向である、請求項４に記載の湿布。
【請求項６】
第１重合部分が第１密接部分から突出する舌状の突起により構成されるものであり、該突起が突出方向に向かうに従い幅が小さくなるものである、請求項１乃至５のいずれか１に記載の湿布。
【請求項７】
第１重合部分の少なくとも一部を、第２密接部分とは視覚的に異ならせたものである、請求項１乃至６のいずれか１に記載の湿布。
【請求項８】
請求項１乃至７のいずれか１に記載の湿布の製造方法であって、
第１シートと第２シートとを、所定の位置関係において第１重合部分が第２密接部分の上方に重合しかつ第２重合部分が第１密接部分の上方に重合するように位置を調整する位置調整工程と、
該位置調整工程において位置調整された第１シートと第２シートとを、第１密接部分と第２密接部分とが膏薬の表面に密接するよう配置する配置工程と、
を含んでなる、湿布の製造方法。
【請求項９】
前記位置調整工程において用いる第１シート及び第２シートを、原料シートを裁断し形成する裁断工程を含むものである、請求項８に記載の湿布の製造方法。
【発明の詳細な説明】
【技術分野】
【０００１】
本発明は、湿布及びその製造方法に関し、より詳細には、膏薬と、該膏薬の表面を覆うための膜状の保護シートと、を備えてなる湿布及びその製造方法に関する。
【背景技術】
【０００２】
湿布は、通常、布や紙等により形成されたシート状の支持体と、該支持体の表面に薄く塗布等された膏薬と、を有して構成され、消炎や鎮痛等のような目的で膏薬の表面が皮膚表面に密接するよう皮膚に貼着され使用される。
ところで湿布は、前述の通り、使用の際には膏薬の表面を皮膚表面に密接させるので膏薬表面を露出させる必要があるが、通常、膏薬表面は非常に柔らかくかつ粘着性を有していることから、湿布を製造してから使用までの間、膏薬表面の保護及び膏薬が他のものに不意に付着することを防止するため（例えば、運搬や保存を容易ならしめるため）、膏薬の表面を覆うための膜状の保護シートが用いられることが多い。
【０００３】
しかしながら、かかる膜状の保護シートは粘着性を通常有する膏薬表面に密接するものであるため、湿布を用いる際に膏薬表面を露出させようと保護シートを膏薬表面から剥離しようとしてもうまく剥離できず手間がかかることもあった。また、湿布を用いることが多い高齢者は視力が十分でなかったり手先を器用に動かすことが困難であることも多く、このような高齢者にとって、保護シートを膏薬表面から剥離する剥離作業はさらに難儀なものとなりうる。
このような保護シートの膏薬表面からの剥離作業を容易ならしめるため幾つかの提案もなされている（例えば、特許文献１参照）。
【０００４】
特許文献１の考案は、「湿布剤膏体に覆設されている剥離性保護シート及び剥離性ライナーを高齢者でも手間をかけずに簡単にかつ容易に、しかも確実に剥離することができ、使用に当たって湿布剤膏体同士の絡みつきのない構造が簡単でかつ低原価で量産性に優れた湿布剤」（特許文献１の考案の詳細な説明中の段落番号０００４）に関するものであり、具体的には「支持体と、前記支持体の表面の略全面に展着された湿布剤膏体と、前記湿布剤膏体の少なくとも一側部に沿って貼着された剥離性ライナーと、前記剥離性ライナー及び前記湿布剤膏体の上面に覆設された剥離性保護シートと、を備えたことを特徴とする湿布剤」（特許文献１中の請求項１）が開示されている。
かかる湿布（特許文献１中では湿布剤）は、「使用者は、剥離性ライナー３と剥離性保護シート４が接着されていないので、剥離性保護シート４の剥離性ライナー３側を摘んで少し剥がした後、剥離性ライナー３の表示部５を外側にして支持体１を少し折り曲げると剥離性ライナー３の端部６がめくれて湿布剤膏体２から少し剥がれるので、端部６を摘んで剥離性ライナー３を剥ぎ取り、次いで、露出した湿布剤膏体２を患部にあてて貼付し、次いで、剥離性保護シート４を摘んで剥離しながら剥離部分の支持体１に手を添えて押さえていくことにより、手を汚すことなく湿布剤膏体２を患部に適切かつ容易に貼付することができる。」（特許文献１の考案の詳細な説明中の段落番号０００７後段部分）というものである。
【０００５】
【特許文献１】実開平７ー４４７４７号公報（例えば、考案の詳細な説明中の段落番号０００４、０００７、請求項１等）
【発明の開示】
【発明が解決しようとする課題】
【０００６】
しかしながら、特許文献１に記載の湿布（特許文献１中では湿布剤）においては、「剥離性保護シート４の剥離性ライナー３側を摘んで少し剥がした後、剥離性ライナー３の表示部５を外側にして支持体１を少し折り曲げると剥離性ライナー３の端部６がめくれて湿布剤膏体２から少し剥がれるので、端部６を摘んで剥離性ライナー３を剥ぎ取り、次いで、露出した湿布剤膏体２を患部にあてて貼付し、次いで、剥離性保護シート４を摘んで剥離しながら剥離部分の支持体１に手を添えて押さえていくことにより」患部に貼付するものであり、使用する際には（１）剥離性保護シート４を摘んで少し剥がし、（２）支持体１を少し折り曲げ剥離性ライナー３の端部６をめくり、（３）端部６を摘んで剥離性ライナー３を剥ぎ取り、（４）露出した湿布剤膏体２を患部にあてて貼付し、（５）剥離性保護シート４を摘んで剥離しながら剥離部分の支持体１に手を添えて押さえていくこと、のように多くの複雑な作業を要するものであり、保護シート（特許文献１においては、剥離性保護シート４と剥離性ライナー３とが該当する。）を膏薬（特許文献１においては、湿布剤膏体２が該当する。）表面から剥離する剥離作業は依然として手間がかかり難儀なものであった。
そこで、本発明においては、手間がかからず簡単かつ容易そして確実に保護シートを膏薬表面から剥離することができる湿布及びその製造方法を提供することを目的とする。
【課題を解決するための手段】
【０００７】
本発明の湿布（以下、「本湿布」という。）は、膏薬と、該膏薬の表面を覆うための膜状の保護シートと、を備えてなる湿布であって、該保護シートが、該膏薬の表面に密接する第１密接部分を有する第１シートと、該膏薬の表面に密接する第２密接部分を有する第２シートと、を有してなり、第１シートが第２密接部分に重合する第１重合部分を有し、かつ第２シートが第１密接部分に重合する第２重合部分を有するものである、湿布である。
【０００８】
本湿布は、本湿布が有する膏薬の表面が皮膚表面に密接するよう皮膚に貼着され使用されるが、前述の従来の湿布と同様、膏薬表面の保護及び膏薬が他のものに不意に付着することを防止するため（例えば、運搬や保存を容易ならしめるため）、膏薬の表面を覆うための膜状の保護シートを備える。なお、保護シートは、本湿布が皮膚に貼着され使用される前に、膏薬の表面から剥離除去される。
本湿布の保護シートは第１シートと第２シートとを有してなり、第１シートの第１密接部分と、第２シートの第２密接部分と、は膏薬の表面（本湿布が皮膚に貼着される際、皮膚に密接する面）に密接する。そして、第１シートの第１重合部分は第２密接部分に重合し（第２密接部分の両面のうち膏薬の表面に密接する面とは逆の面に面するように重合する。）、さらに第２シートの第２重合部分は第１密接部分に重合する（第１密接部分の両面のうち膏薬の表面に密接する面とは逆の面に面するように重合する。）。このため第１シートの第１重合部分は膏薬の表面には密接せず（第１重合部分は第２密接部分によって膏薬には接触しないよう絶縁されている。）、かつ第２シートの第２重合部分も膏薬の表面には密接しない（第２重合部分は第１密接部分によって膏薬には接触しないよう絶縁されている。）。換言すれば、第１シートと第２シートとの一方は、他方の一部（第１重合部分、第２重合部分）が膏薬の表面に接触しないよう膏薬と該一部との間に介在するよう互いになっている。
従って、第１重合部分と第２重合部分とはいずれも、粘着性を通常有する膏薬とは直接接触しないため、指等で容易かつ確実に把持することができる。これら第１重合部分と第２重合部分とを把持した後、第１密接部分と第２密接部分とが膏薬の表面から剥離する方向に（把持した第１重合部分と第２重合部分とを介して）力を加えることで、手間がかからず簡単かつ容易そして確実に保護シートを膏薬の表面から剥離することができる。そして、指等で把持するのは、上述した膏薬とは絶縁された第１重合部分及び第２重合部分であるので、指等に膏薬が付着することを有効に防止又は減少させることができる。
【０００９】
膏薬の表面に沿った線の一方側に第１重合部分が形成され、該線の他方側に第２重合部分が形成されるもの（以下、「線両側重合部分形成本湿布」という。）であってもよい。
ここに「膏薬の表面に沿った線」とは、仮想的な線をいい、本湿布が皮膚に貼着される際、皮膚に密接する膏薬の表面に存する線を広く含むものであり、例えば、直線や種々の曲線を例示することができる。
このように膏薬の表面に沿った線の一方側に第１重合部分を形成し、他方側に第２重合部分を形成することで、第１重合部分と第２重合部分との別や位置関係が認識しやすくなるため、第１重合部分と第２重合部分とを指等で一層容易かつ確実に把持することができ、手間がかからず簡単かつ容易そして確実に保護シートを膏薬の表面から剥離することができる。
【００１０】
線両側重合部分形成本湿布の場合、前記線に沿って第１重合部分と第２重合部分とが交互に形成されているものであってもよい。
こうすることで前記線に沿って第１重合部分と第２重合部分とが交互に存するから、指等で容易かつ確実に把持することができる第１重合部分と第２重合部分とを選択して指等で把持することができ、さらに手間がかからず簡単かつ容易そして確実に保護シートを膏薬の表面から剥離することができる。
【００１１】
第１重合部分を把持し第１シートを剥離する第１剥離方向への第１の力と、第２重合部分を把持し第２シートを剥離する第２剥離方向への第２の力と、が互いにうち消しあう成分を有するもの（以下、「両力打ち消し本湿布」という。）であってもよい。
第１重合部分と第２重合部分とを把持した後、第１密接部分（第１シート）と第２密接部分（第２シート）とが膏薬の表面から剥離する方向に（把持した第１重合部分と第２重合部分とを介して）力を加える際、把持された第１重合部分を介して加えられる第１シートを剥離する第１剥離方向への第１の力と、把持された第２重合部分を介して加えられる第２シートを剥離する第２剥離方向への第２の力と、が互いにうち消しあう成分を有するものであれば、これら第１の力や第２の力を同時に加えれば本湿布が不意に移動等しないように第１の力や第２の力に抗するために本湿布に加える力が小さくてすむ（第１密接部分（第１シート）と第２密接部分（第２シート）とを同時に膏薬の表面から剥離することも容易になる。）。
【００１２】
両力打ち消し本湿布の場合、第１剥離方向と第２剥離方向とが略反対方向であってもよい。
第１剥離方向と第２剥離方向とが同じ（平行かつ同方向）でなければ、第１の力と第２の力とは互いにうち消しあう成分を有するが、第１剥離方向と第２剥離方向とのなす角（第１剥離方向と平行な第１直線と第２剥離方向と平行な第２直線とのいずれか一方を他方に交わる又は一致するように平行移動し、これら第１直線と第２直線とがなす角（但し、０度以上１８０度以下のものをいう。）をいう。なお、第１剥離方向と第２剥離方向とが同じ（平行かつ同方向）であるときには０度であり、第１剥離方向と第２剥離方向とが全く反対方向であるときには１８０度である。）が大きいほど、第１の力と第２の力との打ち消しあいが効果的に行われる。第１剥離方向と第２剥離方向とのなす角（０度以上１８０度以下）は、好ましくは９０度以上であり、より好ましくは１２０度以上であり、最も好ましくは１５０度以上である（とりわけ好ましいのは、第１剥離方向と第２剥離方向とが略反対方向（即ち、第１剥離方向と第２剥離方向とのなす角がほぼ１８０度）である。）。
【００１３】
第１重合部分が第１密接部分から突出する舌状の突起により構成されるものであり、該突起が突出方向に向かうに従い幅が小さくなるものであってもよい。
突出方向に向かうに従い幅が小さくなるような舌状の突起は、薄平らな先細りの形状を有していることから舌状の突起の先端部分が指等で探り当てやすく、第１重合部分を指等で容易かつ確実に把持することができる。
なお、第２重合部分も第２密接部分から突出する舌状の突起により構成されるものであり、該突起が突出方向に向かうに従い幅が小さくなるものであってよいことは無論であり、このように第１重合部分及び第２重合部分の両方を突出方向に向かうに従い幅が小さくなるような舌状の突起により構成すれば、第１重合部分及び第２重合部分の両方を指等で容易かつ確実に把持することができる。
【００１４】
第１重合部分の少なくとも一部を、第２密接部分とは視覚的に異ならせたものであってもよい。
第１シートと第２シートとは、通常、薄膜状のフィルムにより構成されることが多いことから、前述のように第１重合部分が第２密接部分にぴったり重合している状態では、第１重合部分がどこに存しているか視覚的に認識しにくい場合が生じ得る（かかる場合、第１重合部分を指等で円滑に把持することができにくいという問題が生じ得る。）。このことを解決するには、第１重合部分の少なくとも一部を第２密接部分と視覚的に異ならせておけばよく、例えば、第１重合部分の少なくとも一部（無論、第１重合部分の全部であってもよい。）の色彩を第２密接部分の色彩と異なるものにしたり、第１重合部分の少なくとも一部（無論、第１重合部分の全部であってもよい。）に第２密接部分に付していない模様、図形、文字、記号等を付すようにしてもよい。
【００１５】
上記した本湿布は種々の方法により製造されてよいが、例えば、次の製造方法（以下、「本製造方法」という。）によってもよい。
即ち、本製造方法は、本湿布の製造方法であって、第１シートと第２シートとを、所定の位置関係において第１重合部分が第２密接部分の上方に重合しかつ第２重合部分が第１密接部分の上方に重合するように位置を調整する位置調整工程と、該位置調整工程において位置調整された第１シートと第２シートとを、第１密接部分と第２密接部分とが膏薬の表面に密接するよう配置する配置工程と、を含んでなる、湿布の製造方法である。
まず、位置調整工程においては、第１シートと第２シートとを、所定の位置関係において第１重合部分が第２密接部分の上方に重合しかつ第２重合部分が第１密接部分の上方に重合するように位置を調整する。なお、ここにいう「所定の位置関係」とは、本湿布を構成した際の第１シートと第２シートとの位置関係をいう。
次いで、配置工程においては、位置調整工程において位置調整された第１シートと第２シートとを、第１密接部分と第２密接部分とが膏薬の表面に密接するよう配置する。
このように予め位置調整工程において第１シートと第２シートとを本湿布を構成した際の状態と同じ状態（位置調節）にした後、該同じ状態（位置調節）にされた第１シートと第２シートとを膏薬の表面に密接するよう配置することで、粘着性を通常有する膏薬の表面に接触する前に第１シートと第２シートとを該同じ状態（位置調節）にすることができ、本湿布を容易かつ効率的に製造することができる。即ち、第１シートと第２シートとのいずれか一方又は両方が、粘着性を通常有する膏薬の表面に一度接触すると、該表面の粘着性により第１シートと第２シートとの位置調節は困難になる場合が多いため、本製造方法のように第１シートと第２シートとが膏薬の表面に接触する前に予め両シートの位置調節を完了しておくことが好ましい。
【００１６】
本製造方法においては、前記位置調整工程において用いる第１シート及び第２シートを、原料シートを裁断し形成する裁断工程を含むものであってもよい。
このように裁断工程において、原料シートを裁断し第１シートと第２シートとを形成した後、その裁断工程にて形成された第１シートと第２シートとを位置調整工程において用いるようにすれば、原料シートを原料として本湿布を一貫して製造することができ、本湿布を安価に製造することができる。
【発明を実施するための最良の形態】
【００１７】
以下、本発明の実施の形態を図面を参照して説明する。しかしながら、これらによって本発明は何ら制限されるものではない。
【００１８】
図１は、一実施形態の本発明の湿布（本湿布）１１を示す斜視図（構造が理解しやすいように厚み方向をやや拡大して示している。）である。図２は、本湿布１１の平面図（図１中、矢印Ｃ方向から見たところを示している。）であり、図３は図２のＡーＡ端面図であり、図４は図２のＢーＢ端面図である。そして図５は、後述する保護シート４１を構成する第１シート５１及び第２シート６１を引き離したところを示す平面図（図２と同様の方向から見たものである。）である。図１乃至図５を参照して、本湿布１１について説明する。なお、図中、「上」を矢印Ｄ１により、そして「下」を矢印Ｄ２により、それぞれ示した。
本湿布１１は、大まかには、布により形成されたシート状の支持体２１と、支持体２１の両主表面のうち一方の表面（ここでは上面）に薄く塗布された膏薬３１と、膏薬３１の表面（ここでは上面）を覆うための膜状の保護シート４１と、を備えている。なお、支持体２１と、その表面に薄く塗布された膏薬３１と、は従来の湿布と同様のものであるので、ここでは説明を省略する。
【００１９】
保護シート４１は、第１シート５１と第２シート６１とを有してなり、これら第１シート５１及び第２シート６１のいずれも樹脂製の薄い透明なフィルムによって構成されている。
第１シート５１は、両主表面が略長方形をした第１密接部分５３と、第１密接部分５３の１辺（ここでは長辺）に沿って略等間隔に形成された第１重合部分５５ａ、５５ｂ、５５ｃと、を有してなる（特に、図５を参照されたい。）。第１重合部分５５ａ、５５ｂ、５５ｃはいずれも、両主表面が同じ大きさで同じ形状の等脚台形（脚が平行でない）をしており、該等脚台形の略平行な上底と下底とのうち長い方が第１密接部分５３に連なっている。なお、第１密接部分５３と第１重合部分５５ａ、５５ｂ、５５ｃとの境界（即ち、第１密接部分５３の該１辺）を仮想線（点線）Ｅにて示した。また、図５に示すように、第１重合部分５５ａ、５５ｂ、５５ｃの両主表面が形成する該等脚台形の略平行な上底と下底とのうち長い方の長さ（図５中、長さＦ）と、第１重合部分５５ａ、５５ｂ、５５ｃ同士の間隔（図５中、長さＧ）と、は略同じ（ほぼＦ＝Ｇ）にされている。
【００２０】
同様に、第２シート６１は、両主表面が略長方形をした第２密接部分６３（第１密接部分５３とほぼ同じ大きさかつ同じ形状にされている。）と、第２密接部分６３の１辺（ここでは長辺）に沿って略等間隔に形成された第２重合部分６５ａ、６５ｂ、６５ｃと、を有してなる（特に、図５を参照されたい。）。第２重合部分６５ａ、６５ｂ、６５ｃはいずれも、第１重合部分５５ａ、５５ｂ、５５ｃと同じ大きさで同じ形状（脚が平行でない等脚台形）をしており、第２重合部分６５ａ、６５ｂ、６５ｃが形成する等脚台形の略平行な上底と下底とのうち長い方が第２密接部分６３に連なっている。なお、第２密接部分６３と第２重合部分６５ａ、６５ｂ、６５ｃとの境界（即ち、第２密接部分６３の該１辺）を仮想線（点線）Ｋにて示した。また、図５に示すように、第２重合部分６５ａ、６５ｂ、６５ｃの両主表面が形成する該等脚台形の略平行な上底と下底とのうち長い方の長さ（図５中、長さＧ）と、第２重合部分６５ａ、６５ｂ、６５ｃ同士の間隔（図５中、長さＦ）と、は略同じ（ほぼＦ＝Ｇ）にされている。また、第２重合部分６５ａ、６５ｂ、６５ｃの両主表面が形成する該等脚台形の略平行な上底と下底とのうち長い方の長さ（図５中、長さＧ）は、第１重合部分５５ａ、５５ｂ、５５ｃ同士の間隔（図５中、長さＧ）と同じ長さにされると共に、第２重合部分６５ａ、６５ｂ、６５ｃ同士の間隔（図５中、長さＦ）は、第１重合部分５５ａ、５５ｂ、５５ｃの両主表面が形成する該等脚台形の略平行な上底と下底とのうち長い方の長さ（図５中、長さＦ）と同じ長さにされている。
【００２１】
このような第１シート５１及び第２シート６１を図１乃至図４に示したように組み合わせると（仮想線Ｅと仮想線Ｋとがほぼ重なるように組み合わせる。なお、このとき第１重合部分５５ａ、５５ｂ、５５ｃが第２密接部分６３の上面に重合するようにかつ第２重合部分６５ａ、６５ｂ、６５ｃが第１密接部分５３の上面に重合するように位置を調節する。）、第１密接部分５３と第２密接部分６３とにより１の長方形が形成される（特に、図２を参照されたい。図２中の保護シート４１は略長方形を形成している。）。
このような第１シート５１及び第２シート６１が組み合わされて形成された保護シート４１は、その下面（第１密接部分５３の下面と第２密接部分６３の下面とにより構成される。）が膏薬３１の表面（ここでは上面）に密接し膏薬３１の表面（ここでは上面）を覆うように配設されている。なお、第１密接部分５３と第２密接部分６３とにより形成される該長方形は、膏薬３１の表面（ここでは上面）が形成する略長方形とほぼ同じ形状にされている。
本湿布１１においては、第１シート５１の第１密接部分５３の下面と、第２シート６１の第２密接部分６３の下面と、が膏薬３１の表面（ここでは上面）に密接している。そして、第１シート５１の第１重合部分５５ａ、５５ｂ、５５ｃはいずれも第２密接部分６３の上面に上方から重合しており、かつ第２シート６１の第２重合部分６５ａ、６５ｂ、６５ｃはいずれも第１密接部分５３の上面に上方から重合している。
そして、ここでは図示を省略しているが、第１重合部分５５ａ、５５ｂ、５５ｃはいずれも赤色に着色されているのに対し、第２密接部分６３は無色透明である。同様に、第２重合部分６５ａ、６５ｂ、６５ｃもいずれも赤色に着色されているのに対し、第１密接部分５３は無色透明である。
【００２２】
本湿布１１の使用方法について簡単に説明しておく。
図６は、本湿布１１の使用方法の第１ステップを示す平面図（図２と同じ位置から見たところを示している。）である。図６を参照して、本湿布１１の使用方法の第１ステップについて説明する。一方の手の指（図示せず）が第１重合部分５５ｂを把持し、図６中の矢印Ｍ方向（第１剥離方向）への第１の力を第１重合部分５５ｂに加えている。同時に、他方の手の指（図示せず）が第２重合部分６５ｂを把持し、図６中の矢印Ｎ方向（第２剥離方向）への第２の力を第２重合部分６５ｂに加えている。矢印Ｍ方向（第１剥離方向）は、膏薬３１の表面（ここでは上面）に略平行で、かつ第１密接部分５３と第１重合部分５５ｂとの境界（即ち、第１密接部分５３の前記１辺。図５中、仮想線（点線）Ｅにて示した。）に略垂直な方向であって第２密接部分６３から遠ざかる方向である。そして、矢印Ｎ方向（第２剥離方向）は、膏薬３１の表面（ここでは上面）に略平行で、かつ第２密接部分６３と第２重合部分６５ｂとの境界（即ち、第２密接部分６３の前記１辺。図５中、仮想線（点線）Ｋにて示した。）に略垂直な方向であって第１密接部分５３から遠ざかる方向である。従って、ここでは矢印Ｍ方向（第１剥離方向）と矢印Ｎ方向（第２剥離方向）とのなす角（矢印Ｍ方向（第１剥離方向）と平行な第１直線と矢印Ｎ方向（第２剥離方向）と平行な第２直線とのいずれか一方を他方に交わる又は一致するように平行移動し、これら第１直線と第２直線とがなす角（但し、０度以上１８０度以下のものをいう。）をいう。なお、第１剥離方向と第２剥離方向とが同じ（平行かつ同方向）であるときには０度であり、第１剥離方向と第２剥離方向とが全く反対方向であるときには１８０度である。）がここでは約１８０度である（矢印Ｍ方向（第１剥離方向）と矢印Ｎ方向（第２剥離方向）とが略反対方向である。）。なお、指（図示せず）により第１重合部分５５ｂや第２重合部分６５ｂを把持する際、これら第１重合部分５５ｂや第２重合部分６５ｂは、膏薬３１の表面（ここでは上面）に接触していないので、容易に把持することができると共に膏薬３１が指に付着することもない。
このように矢印Ｍ方向（第１剥離方向）への第１の力を第１重合部分５５ｂに加えると共に、矢印Ｎ方向（第２剥離方向）への第２の力を第２重合部分６５ｂに加えることで（必要があれば、第１重合部分５５ａ、５５ｃに矢印Ｍ方向（第１剥離方向）への力を加えてもよく、同様に、必要があれば、第２重合部分６５ａ、６５ｃに矢印Ｎ方向（第２剥離方向）への力を加えてもよい。）、第１シート５１を矢印Ｍ方向（第１剥離方向）へ剥離し、そして第２シート６１を矢印Ｎ方向（第２剥離方向）へ剥離することができる。また、ここでは第１重合部分５５ｂと第２重合部分６５ｂとに力を加える例を示したが、これら以外の第１重合部分５５ａ、５５ｃや第２重合部分６５ａ、６５ｃを指で把持し力を加えて良いことは言うまでもない。
そして、本湿布１１の使用方法の第２ステップとしては、上記の第１ステップにより保護シート４１（第１シート５１、第２シート６１）が剥離され取り除かれた本湿布１１を従来の湿布と同様に皮膚へ貼着すればよい（具体的には、膏薬３１の表面（ここでは上面）が皮膚表面に密接するよう、本湿布１１を皮膚へ貼着する。）。この第２ステップは、従来の湿布を皮膚へ貼着することと同様であるので、詳しい説明は省略する。
【００２３】
最後に、本湿布１１の製造方法について簡単に説明する。
本湿布１１の製造方法の第１工程（裁断工程）として、樹脂製の薄いフィルム状の原料シート（図示せず）を裁断し、第１シート５１と第２シート６１とを形成する（特に、図５を参照されたい。）。なお、原料シートの裁断は、種々の方法により行われることができるが、例えば、打ち抜き型による打ち抜きや、切り抜き等により行われてもよい。
本湿布１１の製造方法の第２工程（位置調整工程）として、第１工程（裁断工程）により形成された第１シート５１と第２シート６１とを図７に示すように位置を調節し組み合わせる。この第１シート５１と第２シート６１との位置調節及び組み合わせは、図１乃至図４に示したような本湿布１１を構成した際の第１シート５１と第２シート６１との位置関係及び状態になるようにされるものであり、第１シート５１の第１重合部分５５ａ、５５ｂ、５５ｃはいずれも第２密接部分６３の上面に上方から重合しており、かつ第２シート６１の第２重合部分６５ａ、６５ｂ、６５ｃはいずれも第１密接部分５３の上面に上方から重合している。
本湿布１１の製造方法の第３工程（配置工程）として、第２工程（位置調整工程）において位置調節及び組み合わされた第１シート５１と第２シート６１とを、第１密接部分５３（の下面）と第２密接部分６３（の下面）とが膏薬３１の表面（ここでは上面）に密接するよう配置する（位置調節及び組み合わされた第１シート５１と第２シート６１との、膏薬３１に対する相対的な変位を図７中に矢印Ｐとして示した。）。なお、図７に示したような、布により形成されたシート状の支持体２１の一方の表面（ここでは上面）に膏薬３１を薄く塗布したもの７１は、従来の湿布として汎用されてきたものであるので、ここではその製造（調製）方法についての説明は省略する。
以上のようにして、本湿布１１が完成される。
【００２４】
以上説明した本湿布１１は、膏薬３１と、膏薬３１の表面（ここでは上面）を覆うための膜状の保護シート４１と、を備えてなる湿布であって、保護シート４１が、膏薬３１の表面（ここでは上面）に密接する第１密接部分５３を有する第１シート５１と、膏薬３１の表面（ここでは上面）に密接する第２密接部分６３を有する第２シート６１と、を有してなり、第１シート５１が第２密接部分６３に重合する第１重合部分５５ａ、５５ｂ、５５ｃを有し、かつ第２シート６１が第１密接部分５３に重合する第２重合部分６５ａ、６５ｂ、６５ｃを有するものである、湿布である。
そして、膏薬３１の表面（ここでは上面）に沿った線（ここでは図１及び図２において点線Ｑにより示した。ここでは点線Ｑは略線分であり、上述のように仮想線Ｅと仮想線Ｋとがほぼ重なるところに点線Ｑが存している。）の一方側に第１重合部分５５ａ、５５ｂ、５５ｃが形成され、該線（点線Ｑ）の他方側に第２重合部分６５ａ、６５ｂ、６５ｃが形成されている。また、ここでは前記線（点線Ｑ）に沿って第１重合部分５５ａ、５５ｂ、５５ｃと第２重合部分６５ａ、６５ｂ、６５ｃとが交互に形成されている（第１重合部分５５ａ、第２重合部分６５ａ、第１重合部分５５ｂ、第２重合部分６５ｂ、第１重合部分５５ｃ、第２重合部分６５ｃのように交互になっている。）。
【００２５】
また、本湿布１１では、図６に示したように、第１重合部分５５ｂを把持し第１シート５１を剥離する第１剥離方向（図６中、矢印Ｍ方向）への第１の力と、第２重合部分６５ｂを把持し第２シート６１を剥離する第２剥離方向（図６中、矢印Ｎ方向）への第２の力と、が互いにうち消しあう成分を有する。ここでは第１剥離方向と第２剥離方向とのなす角は前述のように約１８０度であり、第１剥離方向と第２剥離方向とが略反対方向である。
そして、第１重合部分５５ａ、５５ｂ、５５ｃが第１密接部分５３から突出する舌状の突起により構成されるものであり、該突起が突出方向に向かうに従い幅が小さくなる（該舌状の突起は、主表面が等脚台形をしており、この等脚台形の略平行な上底と下底とのうち長い方が第１密接部分５３に連なっているため、突出方向に向かうに従い幅が小さくなる。）。また、第２重合部分６５ａ、６５ｂ、６５ｃも第２密接部分６３から突出する舌状の突起により構成されるものであり、該突起が突出方向に向かうに従い幅が小さくなる。
さらに、第１重合部分５５ａ、５５ｂ、５５ｃの少なくとも一部（ここでは全部）を、第２密接部分６３とは視覚的に異ならせている（第１重合部分５５ａ、５５ｂ、５５ｃはいずれも赤色であるのに対し、第２密接部分６３は無色透明である。）。同様に、第２重合部分６５ａ、６５ｂ、６５ｃの少なくとも一部（ここでは全部）も、第１密接部分５３とは視覚的に異ならせている（第２重合部分６５ａ、６５ｂ、６５ｃはいずれも赤色であるのに対し、第１密接部分５３は無色透明である。）。なお、ここでは第１重合部分５５ａ、５５ｂ、５５ｃと第２重合部分６５ａ、６５ｂ、６５ｃとは赤色にされているが、これはこれらが重合する部分（第２密接部分６３や第１密接部分５３）と視覚的に容易に識別しやすくする目的でなされているものであり、第１重合部分５５ａ、５５ｂ、５５ｃと第２密接部分６３との色彩が異なるものとし、そして第２重合部分６５ａ、６５ｂ、６５ｃと第１密接部分５３との色彩が異なるものとするためのものであり、従って、第１重合部分５５ａ、５５ｂ、５５ｃと第２重合部分６５ａ、６５ｂ、６５ｃとは赤色以外の色（例えば、高齢者等が視認しやすい色）とされてよいことは言うまでもない。
【００２６】
上記した本湿布１１の製造方法は、第１シート５１と第２シート６１とを、所定の位置関係（本湿布１１を構成した際の第１シート５１と第２シート６１との位置関係）において第１重合部分５５ａ、５５ｂ、５５ｃが第２密接部分６３の上方に重合しかつ第２重合部分６５ａ、６５ｂ、６５ｃが第１密接部分５３の上方に重合するように位置を調整する位置調整工程（前記した第２工程）と、位置調整工程（前記した第２工程）において位置調整された第１シート５１と第２シート６１とを、第１密接部分５３と第２密接部分６３とが膏薬３１の表面（ここでは上面）に密接するよう配置する配置工程（前記した第３工程）と、を含んでなる、湿布の製造方法である。
そして、上記した本湿布１１の製造方法は、位置調整工程（前記した第２工程）において用いる第１シート５１及び第２シート６１を、図示しない原料シートを裁断し形成する裁断工程（前記した第１工程）を含むものである。
【図面の簡単な説明】
【００２７】
【図１】一実施形態の本発明の湿布（本湿布）を示す斜視図である。
【図２】本湿布の平面図である。
【図３】図２のＡーＡ端面図である。
【図４】図２のＢーＢ端面図である。
【図５】保護シートを構成する第１シート及び第２シートを引き離したところを示す平面図である。
【図６】本湿布の使用方法を説明する平面図である。
【図７】本湿布の製造方法を説明する図である。
【符号の説明】
【００２８】
１１          本湿布
２１          支持体
３１          膏薬
４１          保護シート
５１          第１シート
５３          第１密接部分
５５ａ、５５ｂ、５５ｃ  第１重合部分
６１          第２シート
６３          第２密接部分
６５ａ、６５ｂ、６５ｃ  第２重合部分
７１          支持体に膏薬を塗布したもの
【図１】
2006326004.tif 000003
【図２】
2006326004.tif 000004
【図３】
2006326004.tif 000005
【図４】
2006326004.tif 000006
【図５】
2006326004.tif 000007
【図６】
2006326004.tif 000008
【図７】
2006326004.tif 000009